(57)【要約】      （修正有）【課題】カード積載移送装置内でカードが下方へ凸となるよう反った状態で積載されても、カードを容易かつ確実に外方へ排出する。【解決手段】カード積載移送装置１０はカードを多層に載置するカード保持面１２を有するカード保持部１１と、カード保持部１１の下流側に設けられカードを排出する排出ゲート１６と、カード保持部１１上の最下層のカードに係合する係合爪１３と、カード保持部１１に設けられ係合爪１３を案内する案内レール１４とを備えている。係合爪１３はカード保持部１１の上流側から下流側へ爪駆動部により駆動される。カード保持部１１のカード保持面１２は側方からみて中央部が下方へ落ち込む凹形状をもつ。【選択図】図１
2013077232.tif 000002
【特許請求の範囲】
【請求項１】
多数のカードを多層に積載したカードマガジンが装着され、カードマガジンからのカードを載置して移送するカード積載移送装置において、
カードを多層に載置するカード保持面を有するカード保持部と、
カード保持部の下流側に設けられ、カードを排出する排出ゲートと、
カード保持部に載置された最下層のカードに係合する係合爪と、
カード保持部の上流側から下流側に延び係合爪を案内する案内レールと、
係合爪をカード保持部の上流側から下流側へ駆動する駆動部とを備え、
カード保持部のカード保持面は、側方からみて、中央部が上流側および下流側に対して下方へ落ち込む凹形状をもつことを特徴とするカード積載移送装置。
【請求項２】
カード保持部のカード保持面は、側方からみてＶ字状の凹形状をもつことを特徴とする請求項１記載のカード積載移送装置。
【請求項３】
カード保持部のカード保持面は、側方からみて湾曲状の凹形状をもつことを特徴とする請求項１記載のカード積載移送装置。
【請求項４】
案内レールはカード保持部に水平方向に延びて設けられていることを特徴とする請求項１乃至３のいずれか記載のカード積載移送装置。
【請求項５】
多数のカードを多層に積載したカードマガジンが装着され、カードマガジンからのカードを載置して移送するカード積載移送装置において、
上流側および下流側に設けられ、カードを多層に載置する一対のカード保持体と、
下流側のカード保持体に設けられ、カードを排出する排出ゲートと、
一対のカード保持体に載置された最下層のカードに係合する係合爪と、
上流側のカード保持体から下流側のカード保持体に延び係合爪を案内する案内レールと、
係合爪を上流側のカード保持体から下流側のカード保持体へ駆動する駆動部とを備え、
上流側のカード保持体と下流側のカード保持体は、互いに離間して配置されていることを特徴とするカード積載移送装置。
【請求項６】
案内レールは上流側のカード保持体から下流側のカード保持体に向かって水平方向に延びて設けられていることを特徴とする請求項５記載のカード積載移送装置。
【請求項７】
上流側のカード保持体は下流側に向かって下方へ傾斜する傾斜面を有し、
下流側のカード保持体は上流側に向かって下方へ傾斜する傾斜面を有することを特徴とする請求項５記載のカード積載移送装置。
【請求項８】
請求項１記載のカード積載移送装置と、
カード積載移送装置から排出されたカードに対して印刷を施す印刷部とを備えたことを特徴とするカードプリンタ。
【請求項９】
請求項５記載のカード積載移送装置と、
カード積載移送装置から排出されたカードに対して印刷を施す印刷部とを備えたことを特徴とするカードプリンタ。
【発明の詳細な説明】
【技術分野】
【０００１】
本発明は、運転免許証、クレジットカード、キャッシュカード、社員証、身分証、その他のＩＤカードを作成するために用いられるカードプリンタおよびカードプリンタに内蔵されたカード積載移送装置に関する。
【従来の技術】
【０００２】
従来より運転免許証、クレジットカード、キャッシュカード、社員証、身分証、その他のＩＤカードを作成するためカードプリンタが用いられている。
【０００３】
このカードプリンタは多数のカードを多層に積載したカードマガジンが装着されるカード積載移送装置を有する。そしてカードマガジンからのカードがカード積載移送装置に移されて積載され、その後、カード積載移送装置から最下層のカードが一枚ずつ取出される。
【０００４】
カード積載移送装置から取り出されたカードはその後、カードプリンタ内の印刷部に送られて印刷が施され、さらに必要に応じてカードプリンタ内の書込部においてカードに内蔵されたＩＣチップに必要な情報が書込まれる。
【０００５】
ところでカード積載移送装置内において、一般にカードは平坦ではなく上方または下方へ凸状に反った状態で積層されることが多く、特に下方へ凸状に反った状態で積層された場合カード積載移送装置から確実に最下層のカードを排出できないことがある。
【０００６】
すなわち、カード積載移送装置内のカードは最下層のカードから係合爪により排出ゲートから排出されるが、カードが下方へ凸状に反った場合、スムースに係合爪により排出することはむずかしい。
【先行技術文献】
【特許文献】
【０００７】
【特許文献１】特開２００３−３１７０３５号公報
【特許文献２】特開２００７−７６８９１号公報
【発明の概要】
【発明が解決しようとする課題】
【０００８】
本発明はこのような点を考慮してなされたものであり、カード積載移送装置内においてカードが反った状態で積載されていても、確実に最下層のカードを外方へ排出することができるカード積載移送装置、およびこれを内蔵したカードプリンタを提供することを目的とする。
【課題を解決するための手段】
【０００９】
本発明は、多数のカードを多層に積載したカードマガジンが装着され、カードマガジンからのカードを載置して移送するカード積載移送装置において、カードを多層に載置するカード保持面を有するカード保持部と、カード保持部の下流側に設けられ、カードを排出する排出ゲートと、カード保持部に載置された最下層のカードに係合する係合爪と、カード保持部の上流側から下流側に延び係合爪を案内する案内レールと、係合爪をカード保持部の上流側から下流側へ駆動する駆動部とを備え、カード保持部のカード保持面は、側方からみて、中央部が上流側および下流側に対して下方へ落ち込む凹形状をもつことを特徴とするカード積載移送装置である。
【００１０】
本発明は、カード保持部のカード保持面は、側方からみてＶ字状の凹形状をもつことを特徴とするカード積載移送装置である。
【００１１】
本発明は、カード保持部のカード保持面は、側方からみて湾曲状の凹形状をもつことを特徴とするカード積載移送装置である。
【００１２】
本発明は、案内レールはカード保持部に水平方向に延びて設けられていることを特徴とするカード積載移送装置である。
【００１３】
本発明は、多数のカードを多層に積載したカードマガジンが装着され、カードマガジンからのカードを載置して移送するカード積載移送装置において、上流側および下流側に設けられ、カードを多層に載置する一対のカード保持体と、下流側のカード保持体に設けられ、カードを排出する排出ゲートと、一対のカード保持体に載置された最下層のカードに係合する係合爪と、上流側のカード保持体から下流側のカード保持体に延び係合爪を案内する案内レールと、係合爪を上流側のカード保持体から下流側のカード保持体へ駆動する駆動部とを備え、上流側のカード保持体と下流側のカード保持体は、互いに離間して配置されていることを特徴とするカード積載移送装置である。
【００１４】
本発明は、案内レールは上流側のカード保持体から下流側のカード保持体に向かって水平方向に延びて設けられていることを特徴とするカード積載移送装置である。
【００１５】
本発明は、上流側のカード保持体は下流側に向かって下方へ傾斜する傾斜面を有し、下流側のカード保持体は上流側に向かって下方へ傾斜する傾斜面を有することを特徴とするカード積載移送装置である。
【００１６】
本発明は、上記記載のカード積載移送装置と、カード積載移送装置から排出されたカードに対して印刷を施す印刷部とを備えたことを特徴とするカードプリンタである。
【００１７】
本発明は、上記記載のカード積載移送装置と、カード積載移送装置から排出されたカードに対して印刷を施す印刷部とを備えたことを特徴とするカードプリンタである。
【発明の効果】
【００１８】
以上のように本発明によれば、カード積載移送装置において、カードが下方へ凸となるよう反った状態で積載されていても、カード保持部のカード保持面が凹形状をもつため、カード積載移送装置内の最下層のカードを係合爪により容易かつ確実に外方へ排出することができる。またカードが積載移送装置内で排出ゲートに引っ掛かったりすることを防止できる。
【図面の簡単な説明】
【００１９】
【図１】図１（ａ）（ｂ）（ｃ）は本発明の第１の実施の形態を示すカード積載移送装置を示す図。
【図２】図２は係合爪を駆動する爪駆動部を示す概略図。
【図３】図３はカードプリンタの全体を示す全体構成図。
【図４】図４（ａ）はＩＣカードの表面を示す図、図４（ｂ）はＩＣカードの裏面を示す図、図４（ｃ）は追記情報ラベルを示す図。
【図５】図５は本発明の第２の実施の形態を示すカード積載移送装置を示す図。
【図６】図６は比較例としてのカード積載移送装置を示す図。
【発明を実施するための形態】
【００２０】
第１の実施の形態
以下、図面を参照して本発明の実施の形態について説明する。
【００２１】
図１乃至図４は本発明によるカード積載移送装置およびカードプリンタの第１の実施の形態を示す図である。
【００２２】
本発明によるカードプリンタ２０は、図４（ａ）（ｂ）（ｃ）に示すようなＩＣチップ１ａを含むＩＣカード１の表面２に対して各個人の必要な表面情報２ａおよび顔画像情報２ｂを印字するとともに、ＩＣカードの裏面３に対して裏面情報３ａを印字し、ＩＣチップ１ａ内に表面情報２ａおよび裏面情報３ａを書込んで、例えば社員カード、銀行カード、運転免許証等のＩＣカードを作製するものである。この場合、裏面情報のうちＩＣカード裏面に印字できない追記情報５ａは、追記情報ラベル５に印字される。
【００２３】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字されている。
【００２４】
またカードプリンタ２０においては、ＩＣカード１のＩＣチップ１ａ内に、表面情報２ａが書込まれる。
【００２５】
さらにカードプリンタ２０の下流側には、ＩＣカード１のＩＣチップ１ａ内に裏面情報３ａを書き込み、かつＩＣカード１の裏面に裏面情報３ａを印字する裏面書込機能付プリンタ４０が接続されている。
【００２６】
さらにこの裏面書込機能付プリンタ４０には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部２８が接続されている。
【００２７】
なお、カードプリンタ２０はＩＣカードの代わりにＩＣチップを有しないカードに対して印字のみを施すこともできる。
【００２８】
次に図３によりカードプリンタ２０の概略を示す。
【００２９】
図３に示すようにカードプリンタ２０は、ケーシング２０Ａと、ケーシング２０Ａ内上方に設けられＩＣカード１を積層して収納するＩＣカード用スタッカ２１と、ＩＣカード用スタッカ２１からのＩＣカード１を搬送する第１搬送ライン３２と、第１搬送ライン３２に沿って配置されＩＣカード１の表面２に顔画像情報２ｂを印字するＹ印刷部２２、Ｍ印刷部２３およびＣ印刷部２４とを有している。このうちＹ印刷部２２はＩＣカード１の表面２にイエロー印刷を施すものであり、Ｍ印刷部２３はＩＣカード１の表面２にマゼンタ印刷を施すものであり、Ｃ印刷部２４はＩＣカード１の表面２にシアン印刷を施すものであり、Ｙ印刷部２２、Ｍ印刷部２３およびＣ印刷部２４により顔画像情報２ｂが印字される。
【００３０】
またＣ印刷部２４の下流側には、Ｙ印刷部２２、Ｍ印刷部２３およびＣ印刷部２４によって印刷されたインキをＩＣカード１の表面に定着させるインキ定着部２５が設けられ、さらにインキ定着部２５の下流側にはＩＣカード１の表面２に表面情報２ａおよびＩＤ情報２ｃを印字する表面印字部２６が設けられている。この場合、Ｙ印刷部２２、Ｍ印刷部２３、Ｃ印刷部２４、インキ定着部２５および表面印字部２６によってプリンタ部２２〜２６が構成されている。
【００３１】
表面印字部２６を通過したＩＣカード１は第１搬送ライン３２から第１リーダライタ２７に送られ、落下部３８からケーシング２０下方にある第２搬送ライン３３へ送られる。
【００３２】
このうち、第１リーダライタ２７は、ＩＣカード１のＩＣチップ１ａに表面情報２ａおよびＩＤ情報２ｃを書込むものである。
【００３３】
さらに第２搬送ライン３３に沿って、ＩＣカード１の表面２に印字された表面情報２ａおよび顔画像情報２ｂを保護するためＩＣカード１の表面２上に第１保護シート（図示せず）を設ける第１保護シート形成部２９が設けられ、第１保護シート形成部２９の下流側に第１保護シート上に更に第２保護シート（図示せず）を設ける第２保護シート形成部３０が設けられている。
【００３４】
また第２搬送ライン３３の下流側には、表面情報２ａ、顔画像情報２ｂ、ＩＤ情報２ｃが表面２に印字され、かつＩＣチップ１ａ内に表面情報２ａおよびＩＤ情報２ｃが書込まれたＩＣカード１を受け取り、第１集積部３５ａ、第２集積部３５ｂまたは裏面印字集積部３６へＩＣカード１を振分ける選別排出部３７が設けられている。
【００３５】
このうち第１集積部３５ａ、第２集積部３５ｂは、裏面３に対して印字する必要のないＩＣカード１をＩＣカード１の種類に基づいて集積するものである。また裏面印字集積部３６は、下流側の裏面書込機能付プリンタ４０によりＩＣチップ１ａ内に裏面情報３ａを書き込み、かつＩＣカード１の裏面３に対して裏面情報３ａを印字する必要があるＩＣカード１を集積するものである。
【００３６】
裏面印字集積部３６に送られたＩＣカード１は、その後裏面書込機能付プリンタ４０および追記情報ラベル発行部２８へ順次送られる。
【００３７】
ところで選別排出部３７は、ＩＣカード１のＩＣチップ１ａに書込まれたＩＤ情報２ｃを読み取る機能を有し、選別排出部３７は読み取られたＩＤ情報２ｃに基づいて、当該ＩＣカード１に印字する裏面情報３ａが有るか否か判断する。
【００３８】
そして、印字すべき裏面情報３ａが有るＩＣカード１のみが選別排出部３７により裏面印字集積部３６に送られ、印字すべき裏面情報２ａがないＩＣカード１が第１集積部３５ａおよび第２集積部３５ｂに送られる。
【００３９】
また裏面書込機能付プリンタ４０は、ＩＣカード１のＩＣチップ１ａ内に必要な裏面情報３ａを書き込む第２リーダライタ４１と、ＩＣカード１の裏面３に必要な裏面情報３ａを印字する裏面印字部４２とを有している。さらに第２リーダライタ４１および裏面印字部４２の上流側に入口スタッカ４０ａが設けられ、第２リーダライタ４１および裏面印字部４２の下流側に出口スタッカ４０ｂが設けられている。
【００４０】
ところでカードプリンタ２０および裏面書込機能付プリンタ４０は制御装置２０ａにより駆動制御される。
【００４１】
次にカードプリンタ２０に組込まれたＩＣカード用スタッカ２１について、図１（ａ）〜（ｃ）により説明する。
【００４２】
図１（ａ）〜（ｃ）に示すように、カードプリンタ２０に組込まれたＩＣカード用スタッカ２１は多数のＩＣカード１を多層に積載したカードマガジン１５と、このカードマガジン１５が装着されカードマガジン１５からのＩＣカード１を受けて載置するとともにＩＣカード１を一枚ずつ移送する本発明によるカード積載移送装置１０とを備えている。
【００４３】
このうち、本発明によるカード積載移送装置１０は、カードマガジン１５からのＩＣカード１を多層載置するとともに、最下層のＩＣカード１を移送して外部へ排出するものである。
【００４４】
またカードマガジン１５は多層に積載されたＩＣカード１を収納する収納部１５ａと、収納部１５ａの下方に設けられ積載された多数のＩＣカード１を支持する基台１５ｂとからなり、カードマガジン１５をカード積載移送装置１０に装着した場合、カードマガジン１５内の基台１５ｂにより支持されていたＩＣカード１がカード積載移送装置１０側へ受け渡されるようになっている。
【００４５】
次に本発明によるカード積載移送装置１０について述べる。
【００４６】
カード積載移送装置１０はＩＣカード１を多層に載置するカード保持面１２を有するカード保持部１１と、カード保持部１１の下流側に設けられＩＣカード１の排出を阻止するストッパ１７と、ストッパ１７とカード保持部１１との間に最下層のＩＣカード１を一枚ずつ排出する排出ゲート１６とを備えている。
【００４７】
またカード保持部１１には、カード保持部１１に載置されたＩＣカード１のうち最下層のＩＣカード１に係合する係合爪１３が設けられ、この係合爪１３はカード保持部１１の上流側から下流側に延びて設置された案内レール１４に沿って案内されるようになっている。また案内レール１４はカード保持部１１に水平方向に延びて設置されている。
【００４８】
この場合、係合爪１３は爪駆動部１８により駆動されて、ガイド保持部１１の上流側から下流側に向かって案内レール１４に沿って案内される（図２参照）。
【００４９】
すなわち図２に示すように、係合爪１３は保持体１３ａにより保持されて案内レール１４に沿って案内され、保持体１３ａは駆動プーリ１８ａと従動プーリ１８ｂに掛け渡されたタイミングベルト１８ｃにより水平方向に駆動される。
【００５０】
図２において、駆動プーリ１８ａと、従動プーリ１８ｂと、タイミングベルト１８ｃとによって、係合爪１３および保持体１３ａを駆動する爪駆動部１８が構成される。
【００５１】
ところで図１（ａ）（ｂ）（ｃ）に示すように、カード保持部１１のカード保持面１２は側方からみて、中央部が上流側および下流側に対して下方へ落ち込む凹形状をもつ。具体的にはカード保持部１１のカード保持面１２は側方からみてＶ字状の凹形状をもっている。
【００５２】
なお、カード保持部１１のカード保持面１２が側方からみて、中央部が上流側および下流側に対して下方へ落ち込む凹形状をもつとともに、この凹形状がＶ字状ではなく湾曲状であってもよい。
【００５３】
次に図１（ｂ）に示すように、爪駆動部１８により係合爪１３が上流側から下流側に向かって案内レール１４に沿って案内されて、カード保持部１１のカード保持部１２上に載置された最下層のＩＣカード１を排出ゲート１６側へ移送する。
【００５４】
上述のように、カード保持面１２は下方へ落ち込む凹形状をもつため、最下層のＩＣカード１が下方へ凸となるよう反っていても、最下層のＩＣカード１はその下流端がストッパ１７に当接することなく排出ゲート１６からスムースに排出される。
【００５５】
このようにして係合爪１３は案内レール１４に沿って下流端まで達し、カード保持部１１のカード保持面１２上に載置された最下層のＩＣカード１は排出ゲート１６から後工程へ送られる（図１（ｃ））。
【００５６】
次に本発明の比較例を図６（ａ）（ｂ）に示す。
【００５７】
図６（ａ）（ｂ）に示すカード積載移送装置の比較例において、カード保持部１１のカード保持面１２はＩＣカード１が下方へ凸となるよう反っていてもスムースにＩＣカードを排出ゲート１６から排出できるよう上流側に傾斜面１２ａを有している。
【００５８】
すなわちカード保持面１２上のＩＣカード１は傾斜面１２ａによって排出ゲート１６側に向かって下方へ傾斜しており、カード保持面１２の傾斜面１２ａに合わせてカード保持部１１の案内レール１４も傾斜面１２ａに対応する部分において排出ゲート１６側に向かって下方へ傾斜している。
【００５９】
図６（ａ）（ｂ）に示す比較例において、カードマガジン１５内のＩＣカード１が残り少なくなると、最下層のＩＣカード１が傾斜面１２ａにより排出ゲート１６側へ押出されて、ＩＣカード１の下流端が排出ゲート１６内に入ることがある。
【００６０】
この状態で新たなカードマガジン１５と交替するため、カードマガジン１５をカード積載移送装置１０から引き上げる場合、カード保持面１２上のＩＣカード１はカードマガジン１５の基台１５ｂに受け渡され、その後カードマガジン１５が引き上げられる。
【００６１】
このとき、最下層のＩＣカード１の下流端が排出ゲート１６内に入っていると、カードマガジン１５を引き上げる際に最下層のＩＣカード１が排出ゲート１６に引っ掛かってカードマガジン１５を確実に引き上げることができない。
【００６２】
これに対して本願発明によれば、カード保持部１１のカード保持面１２は中央部が下方へ落ち込む凹形状をもつ。このため、カードマガジン１５内のＩＣカード１が残り少なくなっても最下層のＩＣカード１が排出ゲート１６側へ押出されることはなく、このためＩＣカード１の下流端が排出ゲート１６内に入り込むことはない。
【００６３】
またカード保持部１１のカード保持面１２は下方へ落ち込む凹形状をもつため、ＩＣカード１が下方へ凸となるよう反っていても、最下層のＩＣカード１はその下流端がストッパ１７に当接することはなく、最下層のＩＣカード１をストッパ１７下方の排出ゲート１６からスムースに外方へ排出することができる。
【００６４】
次にこのような構成からなる本実施の形態の作用について説明する。
【００６５】
まずカードプリンタ２０のカード積載移送装置１０に、多数のＩＣカード１を多層に積載したカードマガジン１５が装着される（図１（ａ））。
【００６６】
このときカードマガジン１５内には、印字および書込みがなされていないＩＣカード１が積載されている。またＩＣカード１は重しＷにより下方へ常時押圧されている。重しＷは積載されたカードの枚数が少なくなった時に係合爪１３に効率よく係合させるものであり、無くても良い。
【００６７】
カード積載移送装置１０にカードマガジン１５を装着した場合、カードマガジン１５内において基台１５ｂにより支持されていたＩＣカード１はカード積載移送装置１０のカード保持部１１側へ受け渡される。
【００６８】
この場合、ＩＣカード１はカード保持部１１のカード保持面１２上に載置される。そしてカード保持部１１のカード保持面１２上に載置されたＩＣカード１は、下方へ凸となるよう反った状態で載置されている。
【００６９】
上述のように、カード保持部１１のカード保持面１２は下方へ落ち込む凹形状をもつ。このため、カード保持面１２上に載置されたＩＣカード１のうち最下層のＩＣカード１をみてみると、ＩＣカード１が下方へ凸となるよう反っていても最下層のＩＣカード１はその下流端がストッパ１７に当接することはなく、最下層のＩＣカード１の下流端はストッパ１７下方の排出ゲート１６に向かうことになる。
【００７０】
このため後述のように係合爪１３によって最下層のＩＣカード１を排出ゲート１６側へ移送させても、最下層のＩＣカード１がストッパ１７に当接することはなく、ＩＣカード１をストッパ１７下方の排出ゲート１６からスムースに外方へ排出することができる。
【００７１】
次にカードプリンタ２０の作用について述べる。
【００７２】
上述のように、印字および書込みがなされていないＩＣカード１がＩＣカード用スタッカ２１のカード積載移送装置２０から排出されると、ＩＣカード１は第１搬送ライン３２へ送られ、ＩＣカード１は第１搬送ライン３２に沿って搬送される。
【００７３】
第１搬送ライン３２に沿ってＩＣカード１が搬送される際、このＩＣカード１の表面２に対してＹ印刷部２２、Ｍ印刷部２３およびＣ印刷部２４によって、各々イエロー印刷、マゼンタ印刷、およびシアン印刷が施され、このようにしてＩＣカード１の表面２に顔画像情報２ｂが印字される。
【００７４】
次にＩＣカード１は第１搬送ライン３２によってインキ定着部２５へ送られ、このインキ定着部２５においてＹ印刷部２２、Ｍ印刷部２３およびＣ印刷部２４によって印字された顔画像情報２ｂのインキがＩＣカード１の表面に定着される。
【００７５】
その後ＩＣカード１は第１搬送ライン３２によって表面印字部２６に送られ、この表面印字部２６においてＩＣカード１の表面２に表面情報２ａおよびＩＤ情報２ｃが印字される。
【００７６】
次にＩＣカード１は第１搬送ライン３２から第１リーダライタ２７へ送られ、この第１リーダライタ２７においてＩＣカード１のＩＣチップ１ａに対して表面情報２ａ、顔画像情報２ｂおよびＩＤ情報２ｃが書込まれる。
【００７７】
このようにして表面情報２ａ、顔画像情報２ｂ、ＩＤ情報２ｃが表面２に印字され、かつＩＣチップ１ａに表面情報２ａおよびＩＤ情報２ｃが書込まれたＩＣカード１は、その後落下部３８から第２搬送ライン３３に沿って搬送されて第１保護シート形成部２９へ送られ、この第１保護シート形成部２９においてＩＣカード１の表面に第１保護シートが形成される。次にＩＣカード１は第２搬送ライン３３に沿って第２保護シート形成部３０へ送られ、この第２保護シート形成部３０においてＩＣカード１の第１保護シート上に第２保護シートが形成される。
【００７８】
次にＩＣカード１は第２搬送ライン３３により搬送され、選別排出部３７に達する。ＩＣカード１はこの選別排出部３７により振分けられる。すなわちＩＣカード１のうち、表面２のみに表面情報２ａ、顔画像情報２ｂおよびＩＤ情報２ｃが印字され、ＩＣチップ１ａに表面情報２ａおよびＩＤ情報２ｃが書込まれるとともに、裏面３に裏面情報３ａを印字する必要がなく、かつＩＣチップ１ａに裏面情報３ａを書込む必要のないＩＤカード１は第１集積部３５ａ、第２集積部３５ｂへ送られる。
【００７９】
他方、表面２に表面情報２ａ、顔画像情報２ｂおよびＩＤ情報２ｃが印字され、ＩＣチップ１ａに表面情報２ａおよびＩＤ情報２ｃが書込まれるとともに、裏面３にも裏面情報３ａを印字する必要があり、かつＩＣチップ１ａに裏面情報３ａを書込む必要があるＩＤカード１は裏面印字集積部３６へ送られる。
【００８０】
次に裏面印字集積部３６に送られたＩＣカード１は、その後裏面書込機能付プリンタ４０へ送られる。そしてＩＣカード１はこの裏面書込機能付プリンタ４０内において、第２リーダライタ４１によりＩＣチップ１ａ内に裏面情報３ａが書込まれ、続いて裏面印字部４２によりＩＣカード１の裏面３に裏面情報３ａが印字される。
【００８１】
このようにしてカードプリンタ２０および裏面書込機能付プリンタ４０によって、ＩＣカード１に対する印字および書込作業が終了し、印字および書込済のＩＣカード１が得られる。
【００８２】
なお、カードプリンタ２０および裏面書込機能付プリンタ４０における各構成部分は、上述のようにプリンタ制御部２０ａにより駆動制御される。
【００８３】
なお印字すべき裏面情報がないと判断されて第１集積部３５ａおよび第２集積部３５ｂへ送られたＩＣカード１は、裏面書込機能付プリンタ４０を経ることなく外方へ排出される。
【００８４】
次に裏面書込機能付プリンタ４０を経たＩＣカード１は、追記情報ラベル発行部２８に送られる。この追記情報ラベル発行部２８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【００８５】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【００８６】
第２の実施の形態
本発明の第２の実施の形態について図５により説明する。図５に示す第２の実施の形態はカードプリンタ２０に組込まれたＩＣカード用スタッカ２１の構成が異なるのみであり、他の構成は図１乃至図４に示す第１の実施の形態と略同一である。
【００８７】
図５に示すように、カードプリンタ２０に組込まれたＩＣカード用スタッカ２１は多数のＩＣカード１を多層に積載したカードマガジン１５と、このカードマガジン１５が装着されカードマガジン１５からのＩＣカード１を受けて載置するとともにＩＣカード１を一枚ずつ移送する本発明によるカード積載移送装置１０とを備えている。
【００８８】
このうち、本発明によるカード積載移送装置１０は、カードマガジン１５からのＩＣカード１を多層載置するとともに、最下層のＩＣカード１を移送して外部へ排出するものである。
【００８９】
またカードマガジン１５は多層に積載されたＩＣカード１を収納する収納部１５ａと、収納部１５ａの下方に設けられ積載された多数のＩＣカード１を支持する基台１５ｂとからなり、カードマガジン１５をカード積載移送装置１０に装着した場合、カードマガジン１５内の基台１５ｂにより支持されていたＩＣカード１がカード積載移送装置１０側へ受け渡されるようになっている。
【００９０】
カード積載移送装置１０は上流側および下流側に各々設けられ、ＩＣカード１を多層に載置する一対のカード保持体１１Ａ，１１Ｂと、下流側のカード保持体１１Ｂに設けられＩＣカード１の排出を阻止するストッパ１７と、ストッパ１７と下流側のカード保持体１１Ｂとの間に最下層のＩＣカード１を一枚ずつ排出する排出ゲート１６とを備えている。
【００９１】
また一対のカード保持体１１Ａ，１１Ｂに載置されたＩＣカード１のうち最下層のＩＣカード１に係合する係合爪１３が設けられ、この係合爪１３は上流側のカード保持体１１Ａから下流側のカード保持体１１Ｂに延びて設置された案内レール１４に沿って案内されるようになっている。また案内レール１４は一対のカード保持体１１Ａ，１１Ｂに水平方向に延びて設置されている。
【００９２】
この場合、係合爪１３は爪駆動部１８により駆動されて、ガイド保持部１１の上流側から下流側に向かって案内レール１４に沿って案内される（図２参照）。
【００９３】
すなわち図２に示すように、係合爪１３は保持体１３ａにより保持されて案内レール１４に沿って案内され、保持体１３ａは駆動プーリ１８ａと従動プーリ１８ｂに掛け渡されたタイミングベルト１８ｃにより水平方向に駆動される。
【００９４】
図２において、駆動プーリ１８ａと従動プーリ１８ｂとタイミングベルト１８ｃとによって、係合爪１３および保持体１３ａを駆動する爪駆動部１８が構成される。
【００９５】
ところで図５に示すように、一対のカード保持体１１Ａ，１１Ｂは互いに離間して配置され、上流側のカード保持体１１Ａは下流側に向かって下方へ傾斜する傾斜面１９ａを有している。また下流側のカード保持体１１Ｂは上流側に向かって下方へ傾斜する傾斜面１９ｂを有している。傾斜面１９ａおよび傾斜面１９ｂは積載されているカード下面への傷付きを和らげる効果を持つが、無くても良い。
【００９６】
次にこのような構成からなる本実施の形態の作用について説明する。
【００９７】
まずカードプリンタ２０のカード積載移送装置１０に、多数のＩＣカード１を多層に積載したカードマガジン１５が装着される（図５）。
【００９８】
このときカードマガジン１５内には、印字および書込みがなされていないＩＣカード１が積載されている。またＩＣカード１は重しＷにより下方へ常時押圧されている。
【００９９】
カード積載移送装置１０にカードマガジン１５を装着した場合、カードマガジン１５内において基台１５ｂにより支持されていたＩＣカード１はカード積載移送装置１０の一対のカード保持体１１Ａ，１１Ｂ側へ受け渡される。
【０１００】
一対のカード保持体１１Ａ，１１Ｂ上に載置されたＩＣカード１は、下方へ凸となるよう反った状態で載置されている。
【０１０１】
ところで一対のカード保持体１１Ａ，１１Ｂは互いに離間している。このため、一対のカード保持体１１Ａ，１１Ｂ上に載置されたＩＣカード１のうち最下層のＩＣカード１をみてみると、ＩＣカード１が下方へ凸となるよう反っていても最下層のＩＣカード１はその下流端がストッパ１７に当接することはなく、最下層のＩＣカード１の下流端はストッパ１７下方の排出ゲート１６に向かうことになる。
【０１０２】
このため後述のように係合爪１３によって最下層のＩＣカード１を排出ゲート１６側へ移送させても、最下層のＩＣカード１がストッパ１７に当接することはなく、ＩＣカード１をストッパ１７下方の排出ゲート１６からスムースに外方へ排出することができる。係合爪１３はＩＣカード１を排出ゲート１６から外方へ排出したあと下方へ向かって首を振り下方へ降下状態で上流側に戻され、ＩＣカード１が無いところで再び上方に向かって首を振り、上方へ突出して元の位置に戻って係合可能な状態になる。
【０１０３】
次に爪駆動部１８により係合爪１３が上流側から下流側に向かって案内レール１４に沿って案内されて、一対のカード保持体１１Ａ，１１Ｂ上に載置された最下層のＩＣカード１を排出ゲート１６側へ移送する。
【０１０４】
この場合、一対のカード保持体１１Ａ，１１Ｂ上に載置されていたＩＣカード１の上流端は、上流側のカード保持体１１Ａから傾斜面１９ａを経て係合爪１３へ受け渡され、以後ＩＣカード１は係合爪１３と下流側のカード保持体１１Ｂの傾斜面１９ｂにより支持される。
【０１０５】
このようにして係合爪１３は案内レール１４に沿って下流端まで達し、一対のカード保持体１１Ａ，１１Ｂ上に載置された最下層のＩＣカード１は排出ゲート１６から後工程へ送られる。
【符号の説明】
【０１０６】
１  ＩＣカード
１０  カード積載移送装置
１１  カード保持部
１１Ａ，１１Ｂ  カード保持体
１２  カード保持面
１３  係合爪
１４  案内レール
１５  カードマガジン
１６  排出ゲート
１７  ストッパ
１８  爪駆動部
１９ａ，１９ｂ  傾斜面
２０  カードプリンタ
２１  ＩＣカードスタッカ
【図１】
2013077232.tif 000003
【図２】
2013077232.tif 000004
【図３】
2013077232.tif 000005
【図４】
2013077232.tif 000006
【図５】
2013077232.tif 000007
【図６】
2013077232.tif 000008